(57)【要約】磁気クラッチアセンブリは、円周方向に離間したコイルユニットと、ローターと、各々のコイルユニットに電磁場を誘導するための励磁電流を制御可能に供給してローターの回転を開始する電気制御ユニットとを含む。ローターは、コイルユニットの内部に受け入れられる駆動リングと、駆動リングと同心で機械的負荷と接続可能な従動リングと、駆動リング磁石および駆動リング磁石に磁気的に結合される従動リング磁石からなる複数の対の永久磁石と、磁化方向が隣接する従動リング磁石の磁化方向に対して角度的にオフセットされた従動リングを備えた円周方向に離間したオフセット磁石とを含む。各々のオフセット磁石の湾曲する磁力線は、寄生逆起電力の発生を抑制するために異なる方向に湾曲している隣接する従動リング磁石の磁力線と重なっている。
2020524972.tif 000002
【特許請求の範囲】
【請求項１】
磁気クラッチアセンブリであって、
ａ）円周方向に離間して固定された複数の空芯ステータコイルユニットと、
ｂ）ｉ．駆動リングであって、駆動リングの複数の対応する円周部分が任意の時点で前記コイルユニットの各々の内部に受け入れられるように適切に寸法決めされている駆動リングと、
ｉｉ．前記駆動リングと同心であり、前記複数のステータコイルユニットの外側に配置され、機械的負荷に接続可能な従動リングと、
ｉｉｉ．円周方向に離間した複数の対の永久磁石であって、前記対の各々は、前記駆動リングに備えられた第１の永久磁石と、前記従動リングに備えられた、前記第１の永久磁石とは反対の磁化方向の第２の永久磁石とからなり、前記駆動リングと前記従動リングとが磁気的に結合し同期して回転できることを確実にする、複数の対の永久磁石と、
ｉｖ．前記従動リングに備えられた円周方向に離間した複数のオフセット磁石ユニットであって、前記オフセットユニットの各々は、磁化方向が、隣接する従動リング磁石の磁化方向に対して角度的にオフセットされた少なくとも１つの永久磁石を備える、複数のオフセット磁石ユニットと
を備えるローターと、
ｃ）前記ステータコイルユニットの各々に電磁場を誘導するための励磁電流を制御可能に供給し、前記駆動リングの前記永久磁石の各々の磁場と相互作用して前記ローターの回転を開始させ、同時に前記駆動リングの前記永久磁石が前記ステータコイルの各々の内部に順次導入されるように構成された電気制御ユニットと
を備え、
前記オフセット磁石の各々の湾曲する磁力線が、異なる方向に湾曲している前記隣接する従動リング磁石の磁力線と重なり、前記隣接する従動リング磁石の前記磁力線と、対応する空芯ステータコイルユニットの前記誘導された電磁場との間の相互作用から通常生じる寄生逆起電力の発生を抑制するように、前記オフセット磁石の各々は、前記隣接する従動リング磁石に対して十分に角度的にオフセットされている、磁気クラッチアセンブリ。
【請求項２】
前記オフセット磁石の各々は、４５度〜１２５度の範囲の角度だけ前記隣接する従動リング磁石に対して角度的にオフセットされている、請求項１に記載の磁気クラッチアセンブリ。
【請求項３】
前記オフセット磁石の各々は、実質的に９０度に等しい角度だけ前記隣接する従動リング磁石に対して角度的にオフセットされている、請求項２に記載の磁気クラッチアセンブリ。
【請求項４】
前記オフセット磁石の各々は、前記対応するステータコイルユニットと半径方向に整列している、請求項１に記載の磁気クラッチアセンブリ。
【請求項５】
前記オフセット磁石の各々は、トルク発生に関与するために、半径方向に整列する前記ステータコイルユニットの隣接面から５ｍｍ未満の距離だけ半径方向に分離されている、請求項４に記載の磁気クラッチアセンブリ。
【請求項６】
前記ステータコイルユニットの各々は、中央シャフトに対して半径方向に対称に配置されており、前記中央シャフトから動力を抽出可能になっている、請求項１に記載の磁気クラッチアセンブリ。
【請求項７】
前記対応するステータコイルユニットから半径方向に離間した円周方向に離間した複数の追加のオフセット磁石をさらに含み、前記追加のオフセット磁石の各々の湾曲する磁力線が、異なる方向に湾曲している前記所与の従動リング磁石の磁力線と重なり、前記オフセット磁石と前記追加のオフセット磁石の両方の集合的な影響により寄生逆起電力の発生を抑制するように、前記追加のオフセット磁石の各々は、所与の従動リング磁石に対して十分に角度的にオフセットされている、請求項６に記載の磁気クラッチアセンブリ。
【請求項８】
前記複数の追加のオフセット磁石は、前記中央シャフトを取り囲んで接続されるハブに接続されている、請求項７に記載の磁気クラッチアセンブリ。
【請求項９】
前記駆動リングおよび従動リングは、前記中央シャフトと同軸である、請求項６に記載の磁気クラッチアセンブリ。
【請求項１０】
前記従動リングと前記中央シャフトとを相互接続する動力取り出し接続部をさらに備える、請求項６に記載の磁気クラッチアセンブリ。
【請求項１１】
前記動力取り出し接続部は、前記従動リングから前記中央シャフトまで半径方向に延在する複数の円周方向に離間した直線要素で構成される、請求項１０に記載の磁気クラッチアセンブリ。
【発明の詳細な説明】
【技術分野】
【０００１】
本発明は、永久磁石によるカップリングの分野に関するものである。具体的には、本発明は、発生する逆起電力のレベルを低減させながら、２つの回転リング間の直接的または間接的な機械的接続なしに２つの回転リングの動きを制御するように設計された改良型磁気クラッチアセンブリに係るものである。
【背景技術】
【０００２】
２つの回転リング間の空隙を横切る力およびトルクの摩耗および接触のない伝達を提供するためのいくつかの永久磁石による磁気カップリングが、先行技術から知られている。各々のリングには一組の永久磁石が搭載されており、動作位置では、一方の組のすべてのＮ極が他方の組のすべてのＳ極に動作可能に近接している。これにより、駆動リングと従動リングは、永久磁石の力によって結合され、同期して回転し、従動リングに接続されたシャフトなどの動力取り出し要素からトルクを生成し、それによって磁気クラッチとして機能することができる。
【０００３】
本発明の発明者らは、例えば、同じ出願人による特許文献１および特許文献２によって教示されるように、誘導電磁場によって磁気クラッチの駆動リングを回転させることを提案した。これは、ローターの磁石が動いているときに誘導される磁束の変動に起因する寄生逆起電力（ＥＭＦ）を低減するように構成される。
【０００４】
特許文献１は、複数の円周方向に分離された永久磁石と、ローターの周囲を取り囲み、永久磁石が通過できる空隙部分で構成される円周方向に離間する複数の固定ステータコイルとで構成される円形ローターを含むブラシレスＤＣモータを開示する。ステータコイルを励磁すると電磁場が誘導され、誘導電磁場が各々の永久磁石の磁場と相互作用するとローターの回転が開始される。ローターは、ギア式動力伝達手段に接続される。
【０００５】
特許文献２は、上面図がＵ字型構造で側面図が二重Ｃ字型構造の複数のコイルを含むステータを有する同様のモータを開示している。
【先行技術文献】
【特許文献】
【０００６】
【特許文献１】国際出願公開第２０１３／１４０４００号
【特許文献２】英国特許第１６０５７４４．０号明細書
【発明の概要】
【発明が解決しようとする課題】
【０００７】
しかしながら、磁気的に結合された駆動リングおよび従動リングからなるローターの電磁誘導回転中、従動リングの各々の永久磁石の磁場はまた、ステータコイルと相互作用して追加のトルク低減逆起電力を生成する。他方、従動リングの永久磁石は、対応するステータコイルの外部にいつでも配置される。この追加的に生成された逆起電力は、特許文献１および特許文献２の装置によって実現された逆起電力の低減を妨げる。
【０００８】
本発明の目的は、ステータコイルとの電磁誘導相互作用により駆動リングが回転可能であるが、従来技術の装置よりも逆起電力がかなり低い磁気クラッチアセンブリを提供することである。
【課題を解決するための手段】
【０００９】
本発明の他の目的および利点は、説明が進むにつれて明らかになるであろう。
【００１０】
本発明は、
円周方向に離間して固定された複数の空芯ステータコイルユニットと、
ローターであって、
駆動リングであって、駆動リングの複数の対応する円周部分が任意の時点でコイルユニットの各々の内部に受け入れられるように適切に寸法決めされている駆動リングと、
駆動リングと同心であり、複数のステータコイルユニットの外側に配置され、機械的負荷に接続可能な従動リングと、
円周方向に離間した複数の対の永久磁石であって、対の各々は、駆動リングに備えられた第１の永久磁石と、従動リングに備えられた、第１の永久磁石とは反対の磁化方向の第２の永久磁石とからなり、駆動リングと従動リングが磁気的に結合し同期して回転できることを確実にする、複数の対の永久磁石と、
従動リングに備えられた円周方向に離間した複数のオフセット磁石ユニットであって、オフセットユニットの各々は、磁化方向が、隣接する従動リング磁石の磁化方向に対して角度的にオフセットされた少なくとも１つの永久磁石を備える、複数のオフセット磁石ユニットと
を備えるローターと、
ステータコイルユニットの各々に電磁場を誘導するための励磁電流を制御可能に供給し、駆動リングの永久磁石の各々の磁場と相互作用してローターの回転を開始させ、同時に駆動リングの永久磁石がステータコイルの各々の内部に順次導入されるように構成された電気制御ユニットと
を備えた磁気クラッチアセンブリを提供する。
【００１１】
オフセット磁石の各々の湾曲する磁力線が、異なる方向に湾曲している隣接する従動リング磁石の磁力線と重なり、隣接する従動リング磁石の磁力線と、対応する空芯ステータコイルユニットの誘導された電磁場との間の相互作用から通常生じる寄生逆起電力の発生を抑制するように、オフセット磁石の各々は、隣接する従動リング磁石に対して十分に角度的にオフセットされる。
【００１２】
一態様では、オフセット磁石の各々は、対応するステータコイルユニットと半径方向に整列している。オフセット磁石の各々は、トルク生成に関与するために、半径方向に整列するステータコイルユニットの隣接面から５ｍｍ未満の距離だけ半径方向に分離できる。
【００１３】
一態様では、磁気クラッチアセンブリは、対応するステータコイルユニットから半径方向に離間した円周方向に離間した複数の追加のオフセット磁石をさらに含み、オフセット磁石の各々の湾曲する磁力線が、異なる方向に湾曲している所与の従動リング磁石の磁力線と重なり、オフセット磁石と追加のオフセット磁石の両方の集合的影響により寄生逆起電力の発生を抑制するように、追加のオフセット磁石の各々は、与の従動リング磁石に対して十分に角度的にオフセットされる。
【図面の簡単な説明】
【００１４】
【図１】本発明の一実施形態に係る、本発明の磁気クラッチアセンブリの概略平面図である。
【図２】図１の磁気クラッチアセンブリの上部からの斜視図であり、固定底板を示しているが、外側リングなしで図示される。
【図３】図１の磁気クラッチアセンブリの内側リングの垂直断面図である。
【図４】図１の磁気クラッチアセンブリの上部からの斜視図であり、動力取り出し接続部を示す。
【図５】本発明の一実施形態に係る、図１の磁気クラッチアセンブリと共に使用するための電気制御ユニットのアーキテクチャの概略図であり、外側リングなしで示されている。
【図６】図１の磁気クラッチアセンブリの一部の拡大図であり、内側リングおよび外側リングなしで示され、オフセット磁石とステータコイルユニットとの間の近接を示す。
【図７】図１の磁気クラッチアセンブリの概略平面図であり、空芯ステータコイルユニットなしで、動的状態で示される。
【図８】本発明の別の一実施形態に係る、磁気クラッチアセンブリの概略平面図である。
【発明を実施するための形態】
【００１５】
導入として、本発明の磁気クラッチアセンブリは、２つの同心回転リング、第１の駆動リング、および機械的負荷に接続され、機械的負荷に電力を供給する第２の従動リングを含むローターを含む。両方のリングは、円周方向に間隔を離間する複数の永久磁石を有し、駆動リングと従動リングの対応する磁石は、同期して回転するために反対の磁化方向を備えることによって磁気的に結合できる。
【００１６】
本明細書で言及されるように、「磁化方向」は、相対的なＮ‐Ｓ配置を考慮に入れながらそのＮ極とＳ極との間に延在する永久磁石の軸の方向である。
【００１７】
駆動リングが運動を発生する機械装置に接続される従来技術の磁気クラッチアセンブリとは対照的に、本発明のローターは、駆動リングの周囲を囲む、円周方向に離間して固定された複数の空芯ステータコイルと相互作用することにより回転させられる。ステータコイルを励磁すると電磁場が誘導され、誘導電磁場は本発明の駆動リングの各々の永久磁石の磁場と相互作用してローターの回転を開始させる。駆動リングの永久磁石が各々のステータコイルの内部に連続的に導入されながら、ローターは回転を続け、伝達システムへの機械的接続による摩擦損失を受けることなくトルクを生成する。ステータコイルを使用する例示的なモータ構造は、同じ出願人による特許文献１に記載されている。
【００１８】
上述のように、従動リングの各々の永久磁石の磁場はまた、ローターの回転中にステータコイルと連続的に相互作用して、駆動リングの回転する永久磁石とステータコイルの相互作用から生じる磁束の変化の結果生じる逆起電力に加えて、逆起電力の追加の発生源を生成する。
【００１９】
駆動リングの永久磁石と磁気的に結合している永久磁石から角度的にオフセットされた永久磁石であるオフセット磁石を従動リングに提供することによって従動リングの永久磁石に関連する逆起電力の追加の発生源に対抗することがここで見出される。それが本発明の目的である。
【００２０】
ここで図１を参照する。図１に、本発明の一実施形態に係る、全体が符号１５で示された本発明の磁気クラッチアセンブリを平面図で概略的に示す。
【００２１】
磁気クラッチアセンブリ１５は、半径方向に離間する内側リング３および外側リング６を含み、これらは同心であり、中央シャフト１５と同軸である。円周方向に離間する永久磁石１が、内側リング３に固定して取り付けられるか、またはそうでなければ内側リング３を備える。円周方向に離間する永久磁石５は、外側リング６に固定して取り付けられるか、またはそうでなければ外側リング６を備える。永久磁石１および５は、そのＳＮ極がリングの円周に接するように向けられている。各々のリング上の円周方向に離間する永久磁石の数は、リングの直径に応じて、例えば３〜１２個の磁石に変えてもよい。
【００２２】
内側リング３の磁石１と対応する外側リング６の磁石５からなる対は、反対の磁化方向で配置され、２つのリングが磁気的に結合され、それらが同期して回転することを保証する。一対の第１の磁石の磁化方向がその対の第２の磁石の磁化方向と反対である限り、極の相対的な向き、すなわちＮ極が回転方向を指しているか、またはＳ極が回転方向を指しているかは重要ではない。磁石の対は、円周方向に同一の間隔によって離間されるように示されているが、本発明では、円周方向に同じ間隔ではない間隔で離間される場合にも適用可能であることが理解されるであろう。
【００２３】
内側リング３は、その周囲が、円周方向に離間して固定された複数の空芯ステータコイルユニット２（例えば、ソレノイド）によって囲まれているので、駆動リングとして示されている。しかしながら、本発明は、外側リング６が駆動リングであり、複数のステータコイルユニット２が外側リング６の周囲を取り囲むようにも適用可能であることが理解されるであろう。ステータコイルユニット２に電圧が印加されると、電磁場が誘導され、誘導電磁場が内側リング３の近くの永久磁石１の磁場と相互作用すると、ローターの回転が開始され、印加電圧の極性に応じて、永久磁石がコイルユニットに引き寄せられるか、またはコイルユニットから反発する。
【００２４】
複数の円周方向に離間して固定された空芯ステータコイルユニット２は、動力を引き出せる中央シャフト７に関して放射状対称に配置されている。各々のステータコイルユニットの軸線または長さは、シャフト７と外側リング６との間の線に沿って放射状に延在する。各々のコイルユニット２の空芯は、内側リング３のものよりも大きい半径方向寸法を有し、電磁場が誘導されるとリングが各々のコイルユニット２の空芯を通過できる。ステータコイルユニット２の数は、概して所与のリング上の磁気的に結合された永久磁石の数に等しいが、必ずしもその必要はない。
【００２５】
ステータコイルユニット２の制御された励磁中、駆動内側リング３は、複数の円周方向に離間したローラ４によってシャフト７と同軸の円形経路に沿って付勢される。例えば、摩擦低減ローラ４が、各々のステータコイルユニット２と隣接する永久磁石１との間に配置されるが、ローラ、ステータコイル、永久磁石のその他の配置もまた想定される。
【００２６】
図２に示すように、ステータコイルユニット２およびローラ４の各々は固定底板９に取り付けられる。固定底板９は、図示のように円形にできる。
【００２７】
永久磁石１は内側リング３に接続され、内側リング３から鉛直方向に延在して、ステータコイルユニット２の空芯への連続的な導入を容易にする。あるいは、永久磁石１は他の適切な方法で内側リング３に固定されるか、または提供される。ステータコイルユニット２の各々は直線構成を有する、すなわち、２つの長方形の垂直方向のプレートがハウジングの対応する円周方向の端部を画定し、複数の異なる方向の支持要素がプレートを相互接続し、その周りを磁場を生成するためのコイルが巻かれ、同様の形状の空芯内に相補的な直線状永久磁石１を収容するように示されているが、他の形状もまた本発明の範囲内である。外側リングの永久磁石５は、内側リングの永久磁石１と同じ断面、または任意の他の所望の断面を有してもよく、また、外側リングに接続され、外側リングから鉛直方向に延びてもよい。
【００２８】
あるいはまた、永久磁石は、対応するリングと一体に形成されてもよい。
【００２９】
内側リング３の断面を図３に示す。内側リング３を底板９の上方の一定の高さに保持するために、内側リング３の外面１４には、連続的かつ半径方向内方に形成された凹部１６（例えば、ノッチ）が形成されている。中心軸線１９から凹部１６の外壁までの内側リング３の半径方向寸法は、直径方向に対向するローラ４間の間隔に等しい。したがって、ローラ４によって内側リング３に加えられる半径方向の圧力は、後者が静止しているか、または回転しているときの両方とも、底板９の上方に内側リング３を支持するのに十分である。外側リングは内側リング３と磁気的に結合しているため、電圧供給が終了しても、外側リングも、適切に底板９の上方の一定の高さに保持される。
【００３０】
図４に示すように、複数の半径方向に延在するスポーク８により、外側リング６が、シャフト７を取り囲んで接続されたハブ１２に接続され、シャフト７からの動力取り出しを容易にする。他の動力伝達要素または動力取り出し要素も使用できる。
【００３１】
ステータコイルユニット２２を制御可能に励磁し、それにより内側リング３を駆動するための電気システムを図５に概略的に示さす。ステータコイルユニット３２は管状構成を有するように示されるが、他の構成であってもよく、各々のステータコイルユニットに印加される電圧の極性とレベルを各瞬間に決定する（好ましくは、限定されないが、電子タイプの）スイッチ３３のシステムを介してＤＣ電源に電気的に接続されている。スイッチは、コンポーネント（好ましくは、関連するソフトウェアを備えたマイクロコントローラ３６）により制御され、そのソフトウェアは各々のコイルユニット３２に印加されるＤＣ極性を（例えば、コイルユニット３２へのＤＣ接続を反転することにより）、ならびに平均ＤＣレベルを（例えば、パルス幅変調（ＰＷＭ）を使用してＤＣ電源電圧を印加することにより）各瞬間に決定する。各瞬間における内側リング３の角度位置は、センサシステム３４（例えば、光学センサまたはホール効果センサ）によって検出される。センサ出力はコントローラに送られ、コントローラはローターの状態（すなわち、角度位置、速度、および加速度）に応じてスイッチを操作する。
【００３２】
コイルユニット３２が励磁されると、内側リングの近くの永久磁石１は円形経路に沿って移動する。磁石は、巻線内の電流の流れの方向、および磁石の方向（Ｎ−ＳまたはＳ−Ｓ）を決定する所与のコイルユニットに関連付けられたスイッチの極性に応じて、励磁コイルユニット３２の空芯に向かって引き込まれるか、空芯から押し出される。同様に、スイッチの状態は、センサによって検出されたローターの角度位置に基づいて、コントローラによって毎回決定される。スイッチのシステム全体の適切な同時操作シーケンスの下で、いずれかの回転方向に内側リングを連続的に滑らかに回転させることができる。
【００３３】
再び図１を参照すると、回転中にステータコイルユニット２の空芯内に永久磁石１が一時的に入ることにより生じる磁束の変化により、寄生逆起電力が発生する。逆起電力の他の発生源は、外側リング６の所与の永久磁石５に関連付けられた磁場と、所与の永久磁石５が瞬間的に位置するステータコイルユニット２に関連付けられたステータコイルユニット２の外側への誘導電磁場との相互作用から生じる。たとえ所与の永久磁石５がステータコイルユニット２の外部に位置していても、Ｎ極からＳ極に曲がる磁力線が空芯を通るので、誘導電磁場と相互作用して追加の逆起電力を生成する。
【００３４】
有利なことに、この追加の逆起電力は、外側リング６に円周方向に離間した複数のオフセット永久磁石１０を設けることにより、最小化または完全に除去することができる。対応するステータコイルユニット２と半径方向に整列することができる各々のオフセット磁石１０は、１つ以上（例えば、図示されるように３つ）の個別の磁石を有し、その磁化方向は、互いに磁気的に結合されている磁石１および５の磁化方向に対して角度相殺（オフセット）されている。オフセット磁石１０は、磁気的に結合された従動リング磁石５に比較的近いため、オフセット磁石１０の磁力線を従動リング磁石５の磁力線と重ね合わせて、従動リング磁石５に由来する追加の逆起電力の影響を抑えることができる。
【００３５】
駆動リング磁石１、従動リング磁石５、およびオフセット磁石１０は、上向きまたは下向きにかかわらず、対応するリング体に接続されて、そこから鉛直に突出するようにでき、あるいはまた、２つの隣接するアーチ型スペーサーの間に配置されて、対応するリング構造体と同一平面上にあってもよい。スペーサーまたは連続リング構造体は、強磁性材料または鉄などの高透磁率材料で作られ、回転磁石の磁場およびスペーサーの磁場と、ステータコイルの誘導電磁場との相互作用に起因する磁束の変化を低減させることができる。専用のロボット装置を使用して、ローターの周囲に沿ってスペーサーを正確に位置決めし、磁気誘導反発力に打ち勝つことができる。
【００３６】
図示のとおり、オフセット磁石１０の磁化方向が、従動リング磁石５の磁化方向から９０度の角度だけ角度的にオフセットされる場合、優れた逆起電力抑制が実現できる。それにも関わらず、オフセット磁石１０が従動リング磁石５の磁化方向から９０度未満、例えば７５〜９０度または４５〜７５度の間の角度、または９０度を超える、例えば９０〜１２５度の角度で角度的にオフセットされる場合にも、驚くほど効果的な逆起電力抑制が可能になる。
【００３７】
オフセット永久磁石１０は、追加のトルクの生成にも有利に寄与する。図６に示すとおり、各々のオフセット磁石１０が、瞬間的にステータコイルユニット２と半径方向に整列しているステータコイルユニット２の半径方向外側面２３から半径方向に離れている距離Ｄが５ｍｍ未満の場合、オフセット磁石１０の磁場は、面２３から半径方向外側に延在するステータコイルユニット２によって生成される電磁場の一部と相互作用することができる。オフセット磁石１０の磁場とステータコイルユニット２によって生成される電磁界との間のこの相互作用は、従動リングに作用する追加のトルクの発生源である。
【００３８】
図７に示すとおり、外側リング６が接続されている負荷の影響により、磁気クラッチ１５の回転中、外側リング６の永久磁石５は、磁気結合される内側リング３の対応する永久磁石１から円周方向にミスアライメント（誤整列）される。この動的状態は、磁気クラッチ１５が静止しており、永久磁石５が磁気的に結合される対応する永久磁石１と円周方向に整列しているときの静的状態とは対照的である。
【００３９】
ミスアライメントの間、磁石１および５の相対的位置は、リング５および６の円周に対して接線方向に準線形にシフトする。最終的に、磁石１および５は、図示されるように円周オフセットｈに達し、これは安定しており、実質的に変化しない。オフセットｈは、負荷による反対の力に依存する。適切な条件下では、ｈは、外側の従動リング６を内側の駆動リング３と共に回転させるのに必要な力に正比例して増加するであろう。
【００４０】
対象範囲において、オフセットｈは力伝達にほぼ正比例し、ｈが大きすぎない限り、駆動リング３は従動リング６を、リング３と６との間の物理的接触の発生なしに推進することができることが提示されるであろう。ｈの大きさが磁石１と５の間のギャップの幅に近づくと、伝達される力が低下する。駆動リング３が従動リング６に加えることのできる最大の力は、永久磁石の強度と幾何学的形状、磁石の数、ならびに２つのリング３と６の間のギャップに依存するであろう。
【実施例１】
【００４１】
逆起電力抑制
オフセット磁石によって提供される逆起電力抑制の効果が、外側リングの直径が４００ｍｍとなるように構成された２つの同心かつ半径方向に離間した磁気結合リングを含むローターを有する本発明の教示に係る磁気クラッチアセンブリを含む試験装置で研究された。内側リングの周囲を囲む１つの空芯ステータコイルユニットが使用された。
【００４２】
インダクタンスを４０μＨにするために、６μΩの電気抵抗を有するコイルを５０ｍｍ間隔で配置し、直線状ステータコイルハウジングの対応する円周方向端部に位置する２つの鉛直配向プレートを相互接続する支持要素の周りに２０回均等に巻いた。空芯のサイズは５０×７０×８０ｍｍであった。
【００４３】
各々が５０×５０×８０ｍｍの大きさである６つの等間隔の永久磁石が各々のリングに取り付けられ、一方、内側リングに取り付けられた磁石は、外側リングに取り付けられた対応する磁石と半径方向に整列され、その磁石に磁気的に結合された。外側リングに取り付けられた磁石は、内側リングに取り付けられた対応する磁石から２２ｍｍの距離だけ半径方向に離間された。
【００４４】
スイッチ接続導体３７（図５）を介して異なる個別のレベルで電圧をコイルに供給して、ローターを対応する速度で回転させ、その値を光電センサおよびオシロスコープで測定し、表Ｉに掲載した。各々の対応する速度に対して発生した逆起電力（ＢＥＭＦ）を測定して、これもまた表Ｉに掲載した。
【表１】
2020524972.tif 000003
【００４５】
次に、それぞれサイズが５０×５０×２０ｍｍである６つの追加の永久磁石を、対応する磁気結合された磁石から円周方向に３０度離れるように外側リングに取り付け、外側リングに取り付けられた磁石の磁化方向に対して９０度だけ角度的にオフセットした。
【００４６】
異なる個別のレベルでコイルに電圧を供給して、追加のオフセット磁石を備えたローターを表Ｉに挙げた同じ速度で回転させた。各々の対応する速度に対して発生した逆起電力（ＢＥＭＦ）を測定し、表ＩＩに掲載した。実証されたように、ＢＥＭＦは２２〜２６％の範囲の値が削減された。
【表２】
2020524972.tif 000004
【実施例２】
【００４７】
追加のトルク生成
オフセット磁石によってローターに提供される追加のトルク生成の効果は、実施例１に記載された同じ試験装置で研究した。
【００４８】
ローターに対応する速度で回転させるために、異なる個別のレベルでスイッチ接続導体３７（図５）を介してコイルに電流を供給した。オフセット磁石なしで提供されたローターによって生成されたトルクは、ドイツのゲルンスバッハのＢｕｒｓｔｅｒ  Ｐｒａｅｚｉｓｉｏｎｓｍｅｓｓｔｅｃｈｎｉｋ  Ｇｍｂｈ＆Ｃｏ．製のトルクセンサモデル８６４５によって測定し、各々の電流レベルについて表ＩＩＩに掲載した。
【００４９】
次に、６個のオフセット磁石が単一のステータコイルユニットの半径方向外側の面と半径方向に整列したときに、６個のオフセット磁石が単一のステータコイルユニットの半径方向外側の面から２〜５ｍｍの範囲の距離だけ半径方向に離れるように、６個のオフセット磁石を外側リングに接続し、その後、同じ個別のレベルの電流をコイルに供給し、生成されたトルクの対応するレベルを測定し、表ＩＶに掲載した。実証されたように、オフセット磁石の使用の結果として生成されたトルクは、９．３〜１１．５％の範囲の値だけ増加した。
【表３】
2020524972.tif 000005
【表４】
2020524972.tif 000006
【００５０】
図８は、本発明の別の一実施形態に係る磁気クラッチアセンブリ２５を示す。磁気クラッチアセンブリ２５は、図１の磁気クラッチアセンブリ１５と同一であるが、別の組のオフセット磁石２０が追加されている。複数の追加のオフセット磁石２０は、オフセット磁石２０が対応するステータコイルユニット２と整列し、対応するステータコイルユニット２からわずかに離間するように中央シャフトを取り囲んで中央シャフトに接続されるハブ１２に接続される。したがって、単一の従動リング磁石５に対する逆起電力抑制は、オフセット磁石１０とオフセット磁石２０の両方の集合的影響によって可能になる。
【００５１】
追加のオフセット磁石２０はまた、ステータコイルユニット２の半径方向内側の面から５ｍｍ未満の距離だけ半径方向に分離されるように構成することができ、追加のオフセット磁石２０は、ステータコイルユニット２と瞬間的に半径方向に整列される。各々の追加のオフセット磁石２０の磁場は、ステータコイルユニットから外側および半径方向内側に延在するステータコイルユニット２によって生成される電磁場の一部と相互作用することができる。追加のオフセット磁石２０の磁場とステータコイルユニット２によって生成される電磁場との間のこの相互作用は、従動リングに作用する追加のトルク源となる。
【００５２】
本発明のいくつかの実施形態を例示のために説明したが、本発明は、多くの修正、変形、および適応により、また特許請求の範囲を超えることなく当業者の範囲内にある多数の均等物または代替解決策を使用して実施できることは明らかであろう。
【図１】
2020524972.tif 000007
【図２】
2020524972.tif 000008
【図３】
2020524972.tif 000009
【図４】
2020524972.tif 000010
【図５】
2020524972.tif 000011
【図６】
2020524972.tif 000012
【図７】
2020524972.tif 000013
【図８】
2020524972.tif 000014
【国際調査報告】
2020524972.tif 000015
2020524972.tif 000016